(57)【要約】      （修正有）【課題】郵便仕分けセンターまたは物流センターにおいて、取り出しマガジンへ郵便物を送る装置を提供する。【解決手段】取り出しマガジン２へ立った状態の郵便物３を送る装置１であって、底面上に平坦に置かれた郵便物を載せ、横方向に延伸したトレイを搬送するための第１の送りコンベヤ４と、トレイ傾斜手段８であって、前方に、該トレイ傾斜手段の傾斜台１０上にトレイを旋回させ、郵便物を該トレイから該取り出しマガジンへ立った状態で移動させるトレイ傾斜手段と、を備える。該装置は、底面上に立った状態で置かれた郵便物３を載せ、長手方向に延伸したトレイを搬送するための第２の送りコンベヤ５と、取り出しマガジン上にトレイを該トレイの辺の周りにひっくり返すように設計されたトレイ反覆手段９と、をさらに備える。【選択図】図１
0003227610.tif 000002
【実用新案登録請求の範囲】
【請求項１】
取り出しマガジン（２）へ立った状態の郵便物（３）を送る装置（１）であって、該取り出しマガジンへ一定の搬送方向（Ｆ１）に延伸し、底面上に平坦に置かれた郵便物を載せ、横方向に延伸したトレイ（６）を搬送するように設計された第１の送りコンベヤ（４）と、該第１の送りコンベヤと該取り出しマガジンとの間に置かれたトレイ傾斜手段（８）であって、該搬送方向の前方に、該トレイ傾斜手段の傾斜台（１０）上にトレイを旋回させ、郵便物を該トレイから該取り出しマガジンへ立った状態で移動させるように設計されたトレイ傾斜手段と、を備え、該装置は、該取り出しマガジンへ該第１の送りコンベヤと平行に一定の搬送方向（Ｆ１）に延伸し、底面上に立った状態で置かれた郵便物（３）を載せ、長手方向に延伸したトレイ（６）を搬送するように設計された第２の送りコンベヤ（５）と、該第２の送りコンベヤと該取り出しマガジンとの間に置かれたトレイ反覆手段（９）であって、該搬送方向に対して横断する方向に該取り出しマガジン上にトレイを該トレイの辺の周りにひっくり返し、郵便物を該トレイから該取り出しマガジンへ立った状態で移動させるように設計されたトレイ反覆手段と、をさらに備え、該トレイ反覆手段は、該トレイ傾斜手段（８）の傾斜台（１０）の経路と交差する経路上に傾斜台（１４）を備え、これらの傾斜台（１０，１４）は、該取り出しマガジン上で立った状態の郵便物が再構成されるスタック再構成ゾーン（Ｚ１）の隣接する二辺に接して置かれる装置。
【請求項２】
該取り出しマガジン（２）の該第１の送りコンベヤ（４）に沿って延伸する、トレイ（６）を除去するためのトレイ除去コンベヤ（１３）をさらに備える請求項１に記載の装置（１）。
【請求項３】
第２の傾斜手段（９）は、該傾斜台（１４）の底面に位置し、トレイ（６）の底面を阻止するように設計され、トレイを該取り出しマガジン上へひっくりかえすためのてこを提供するストッパ（１５）を備える請求項１または２に記載の装置（１）。
【考案の詳細な説明】
【技術分野】
【０００１】
本考案は、郵便仕分けセンターまたは物流センターにおける郵便物処理の分野に関する。
【０００２】
本考案はより具体的に取り出しマガジンへ郵便物を送る装置に関する。
【背景技術】
【０００３】
特許文献１は、順番に配列されトレイに平坦に積まれた郵便物であって、一般的に大判の郵便物から、取り出し装置に立った状態の郵便物を送るように特別に設計された装置を開示している。
【０００４】
上記の装置は、トレイが順番に配列され横方向に延伸した状態でトレイを取り出しマガジンへ一定の方向に輸送する送りコンベヤを含む。
【０００５】
自動のトレイ傾斜システムがコンベヤの下流端に備わり、トレイを一つずつ搬送方向の前方に取り出しマガジン上に旋回させる。
【０００６】
トレイ内に平坦に格納された郵便物のスタックは前方に傾斜し、郵便物はトレイ内で立った状態となる。
【０００７】
該傾斜システムは、また郵便物のスタックが立った状態でトレイから取り出しマガジン上へ滑らせるのに十分な程度にトレイを取り出しマガジン上に傾斜させるように構成されている。
【０００８】
郵便物はこのように立った状態に配置され、取り出しマガジン上で順番に配列され、パドルを使用する操作員によって取出し部へ移動させられる。
【０００９】
しかし、上記の送り装置は、トレイ内で立った状態で格納された郵便物を処理するのに適していない。
【００１０】
立った状態の郵便物を載せたトレイは一般にコンベヤ上で長手方向に延伸するので、横方向に延伸したトレイを傾斜させる傾斜手段によって傾斜させることができない。
【００１１】
さらに、長手方向に延伸するトレイを前方に傾斜させても、立った状態の郵便物は送り出しマガジン上で平坦に置かれるか、依然として立った状態ではあるが順番に配列されていない。
【００１２】
このことがトレイ内で立った状態で格納された郵便物は一般に操作員によって手操作で処理される理由である。操作員は、彼ら自身、取り出しマガジンの横でトレイを傾斜させ配置する。
【００１３】
郵便物を載せたトレイは重くかさばるのでトレイ処理動作は操作員にとって骨が折れる。
【先行技術文献】
【特許文献】
【００１４】
【特許文献１】FR 2663915
【考案の概要】
【考案が解決しようとする課題】
【００１５】
本考案の目的は、装置によって占められる床面積を最小としながら、操作員にとって人間工学的に最適化された作業空間において、平坦な状態及び立った状態で格納された郵便物を取り出し装置に送ることのできる、処理の向上した送り装置によって上記の問題を解決することである。
【課題を解決するための手段】
【００１６】
この目的のために本考案は、取り出しマガジンへ立った状態の郵便物を送る装置を提供し、該装置は、該取り出しマガジンへ一定の搬送方向に延伸し、底面上に平坦に置かれた郵便物を載せ、横方向に延伸したトレイを搬送するように設計された第１の送りコンベヤと、該第１の送りコンベヤと該取り出しマガジンとの間に置かれたトレイ傾斜手段であって、該搬送方向の前方に、該トレイ傾斜手段の傾斜路上にトレイを旋回させ、郵便物を該トレイから該取り出しマガジンへ立った状態で移動させるように設計されたトレイ傾斜手段と、を備え、該装置は、該取り出しマガジンへ該第１の送りコンベヤと平行に一定の搬送方向に延伸し、底面上に立った状態で置かれた郵便物を載せ、長手方向に延伸したトレイを搬送するように設計された第２の送りコンベヤと、該第２の送りコンベヤと該取り出しマガジンとの間に置かれたトレイ反覆手段であって、該搬送方向に対して横断する方向に該取り出しマガジン上にトレイを該トレイの辺の周りにひっくり返し、郵便物を該トレイから該取り出しマガジンへ立った状態で移動させるように設計されたトレイ反覆手段と、をさらに備え、該トレイ反覆手段は、該トレイ傾斜手段の傾斜路の経路と交差する経路上に傾斜路を備え、これらの傾斜路は、該取り出しマガジン上で立った状態の郵便物が再構成されるスタック再構成ゾーンの隣接する二辺に接して置かれる。
【００１７】
本考案の基本となる考えは、２台の個別のコンベヤ上で搬送されるトレイ内の平坦に積まれた郵便物または立った状態の郵便物から立った状態で郵便物を取り出しマガジンへ送ることである。
【００１８】
本考案は、取り出しマガジン上で郵便物のスタックが立った状態で再構成される再構成ゾーンを生成するように、２台のコンベヤにトレイ傾斜手段及びトレイ反覆手段を使用して搬送させる。
【００１９】
このようにして、郵便物のそれぞれのスタックは、郵便物のスタックが再構成される再構成ゾーン内で順番に立った状態で配置されるように、トレイ内で平坦に配置されているか立った状態で配置されているかに応じて、正面または側面へ傾斜させられる。
【００２０】
操作員は、傾斜手段または反覆手段からの立った状態の郵便物のスタックを回収するようにスタック再構成ゾーンに面して配置される。
【００２１】
反覆手段によって、「混合」郵便物として知られる、横及び縦の両方に配置された郵便物を処理することができる。
【００２２】
傾斜させられると、混合郵便物は依然として、順番に配置され、横向きが縦向きとなり縦向きが横向きとなり立った状態である。
【００２３】
このようにして、操作員は郵便物を載せたトレイを取り出しマガジンへ置くためにトレイを持ち上げる必要はなく、取り出しマガジン上で郵便物を立った状態で順番に配置する必要はない。
【００２４】
本考案の装置は以下の特徴を有するのが有利である。
【００２５】
装置が、該取り出しマガジンの該第１の送りコンベヤに沿って延伸する、トレイを除去するためのトレイ除去コンベヤをさらに備える。
【００２６】
第２の傾斜手段が、該傾斜路の底面に位置し、トレイの底面を阻止するように設計され、トレイを該取り出しマガジン上へひっくりかえすためのてこを提供するストッパを備える。
【００２７】
添付図面を参照して非限定的な例として与えられる実施形態の以下の詳細な記述を読むことにより、本考案はよりよく理解することができその他の利点も明らかになる。
【図面の簡単な説明】
【００２８】
【図１】取り出しマガジンへ送る本考案の装置の概略の透視図である。
【図２】第１コンベヤ上のトレイに平坦に積まれた郵便物を取り出しマガジンへ送る本考案の装置の概略の透視図である。
【図３】第１コンベヤ上のトレイに平坦に積まれた郵便物を取り出しマガジンへ送る本考案の装置の概略の透視図である。
【図４】第２コンベヤ上のトレイに立った状態で積まれた郵便物を取り出しマガジンへ送る本考案の装置の概略の透視図である。
【考案を実施するための形態】
【００２９】
図１に示すように本考案の装置は、郵便仕分けセンターまたは物流センターにおいて郵便物３を取り出しマガジン２へ送るのに特に適している。
【００３０】
「取り出しマガジン」という用語は、取り出し部へ送り込まれる郵便物を一時的に格納するマガジンを意味するのに使用される。
【００３１】
取り出しマガジンへ送り込まれる郵便物３は、一般的に手紙、小包などである。
【００３２】
図１において、装置１は、郵便物３で満たされたトレイ６を一定の搬送方向Ｆ１へ取り出しマガジン２まで搬送するように設計された第１及び第２の送りコンベヤ４及び５を含む。
【００３３】
図１において破線で定められ、その中で郵便物のスタックが再構成されるスタック再構成ゾーンＺ１において、取り出しマガジン２への郵便物３の送りが集約されるように、２台の送りコンベヤ４及び５は取り出しマガジン２の下流端７に集まる。
【００３４】
スタック再構成ゾーンZ１は、操作員が作業する作業ゾーンZ２の近くに位置するのが有利である。
【００３５】
第１及び第２の送りコンベヤ４及び５は、それぞれトレイ６を傾斜させるトレイ傾斜手段８及びトレイ６を反覆させるトレイ反覆手段９で終端する。
【００３６】
手段８及び９は、それぞれ、図２及び３に示すように平坦３Aに置かれた郵便物が載せられたトレイを傾斜させ、図４に示すように立った状態の郵便物が載せられたトレイを反覆するように設計されている。
【００３７】
傾斜手段８は、トレイ６を搬送方向Ｆ１の前方に傾斜手段の傾斜路１０の上に旋回させるように設計されている。
【００３８】
トレイ６に平坦に格納された郵便物は、このようにして図２及び３に示すようにトレイの中で立った状態で傾斜し、取り出しマガジン２へ滑り落ちることによって降ろされる。
【００３９】
本実施例において、傾斜手段の傾斜路１０は、立った状態の郵便物が自然に減速しながら滑り落ちるように湾曲している。
【００４０】
トレイ反覆手段９は、搬送方向Ｆ１に対して横断する方向に、取り出しマガジン２上にトレイ６をひっくり返すように設計されている。
【００４１】
トレイ６内で立った状態で格納された郵便物３は、図４に示すようにこれまでとは別の辺上に立った状態に反覆されトレイ６から取り出しマガジン２へ滑り出る。
【００４２】
２台のコンベヤ４及び５は、全てのタイプのトレイを搬送するように設計されているが、それぞれのトレイ６の郵便物３の向きによってそのトレイを搬送するのにどのコンベヤを使用すべきかを決定する。
【００４３】
このようにして、トレイ内で平坦に格納された郵便物は、傾斜手段８で傾斜させられるように第１のコンベヤ４上で搬送され、トレイ内で立った状態の郵便物は、反覆手段９で反覆させられるようにコンベヤ５上で搬送される。
【００４４】
傾斜手段８は、第１のコンベヤ４の下流端に到着したそれぞれのトレイ６を取り出しマガジン２上に取り出し位置に自動的に傾斜させるように自動化されている。
【００４５】
傾斜手段８は、トレイ６の上部の辺１２にかみ合い、取り出しマガジンに面する上記の上部の辺のうちの一つの周りに該トレイを旋回させるように設計された矩形のヨーク１１を備える。
【００４６】
旋回させたトレイ６は、図３に示すようにあらかじめ定められた時間取り出し位置にとどまり、立った状態で取り出しマガジン２へ滑り落ちる郵便物３のスタックを操作員が回収できるようにする。
【００４７】
取り出し位置における時間が経過すると、空のトレイ６は自動的に逆方向に旋回され、本考案の装置の除去コンベア１３上へ除去される。
【００４８】
トレイ除去コンベア１３は、図１-４に示すように、本実施例では第１の送りコンベア４、５に沿って延伸し、郵便物３が取り出されたトレイ６を取り出しマガジン２から図１に破線で示されるトレイ格納ゾーンZ３へ除去するのを容易にする。
【００４９】
郵便物３を載せた新たなトレイ６が第１のコンベア４の端部に到着し、順番に旋回させられる。
【００５０】
反覆手段９は、搬送方向Ｆ１に対して横断的に伸長する傾斜路１４を備え、傾斜路１４は第２の送りコンベヤ５から取り出しマガジン２へ下降している。
【００５１】
この傾斜路１４は、トレイ６が傾斜し、搬送方向Ｆ１に対して横断的に滑るようにすることができる。
【００５２】
第２の切り替え手段９は、傾斜路１４の下端に位置し、トレイ６の底面が傾斜路１４上で横断的に移動するのを防止するように設計された阻止ストッパ１５をさらに備える。
【００５３】
このようにしてトレイの底面が阻止されると、操作員は、てことして機能するストッパの助けを得ながら、自身に面した辺によってトレイ６を自身の方へ引っ張るだけでトレイ６を取り出しマガジン２上へひっくりかえせる。
【００５４】
トレイ６はストッパ１５にもたれかかり続け、取り出しマガジンの上にひっくり返った傾斜位置にトレイが維持され、立っている状態の郵便物３を降ろすのが容易になることが理解できる。
【００５５】
その後、空のトレイ６は操作員によって回収され、トレイ除去コンベア１３上に置かれる。
【００５６】
傾斜路１０及び１４は、また、相互に交差する経路上にあり、該取出しマガジン上の、立っている状態の郵便物のスタックが再構成されるスタック再構成ゾーンＺ１の隣接する二辺に接して位置する。
【００５７】
傾斜路の上記の構成は、操作員の仕事のしやすさを改善する。
【００５８】
さらに、図１及び４に破線で示し傾斜路１４に隣接する、第２のコンベヤ５の部分Ｚ４はトレイ６を搬送方向Ｆ１に対して横断的に搬送するように設計されている。
【００５９】
当然に、本考案は上述の実施形態に決して限定されることはなく、実施形態は本考案の範囲を超えない範囲で変更することができる。
【図１】
0003227610.tif 000003
【図２】
0003227610.tif 000004
【図３】
0003227610.tif 000005
【図４】
0003227610.tif 000006